(57)【要約】【課題】ディスク装置の寿命を延ばす。【解決手段】制御部は、光ピックアップを、データ領域の最外周位置ｒ１から最内周位置ｒ２へ移動させる際に、まず、光ピックアップを、最外周位置ｒ１から位置ｒ３に移動させる（ステップＳ１）。続いて、制御部は、位置ｒ３に位置する光ピックアップを、データ領域の最内周位置ｒ２から最外周位置ｒ１に向かう方向に、反転移動させる（ステップＳ２）。必要であれば、スレッドジャンプを繰り返す（ステップＳ４）。最終的に、制御部は、光ピックアップを、最内周位置ｒ２にトラックジャンプさせる（ステップＳ５）。【選択図】図５
2011018392.tif 000002
【特許請求の範囲】
【請求項１】
ブラシ付きモータと、
ディスクに記録されたデータを読み取る光ピックアップと、
前記ブラシ付きモータの駆動力を、前記光ピックアップに伝達することにより、前記光ピックアップを、前記ディスクの半径方向に移動させる伝達機構と、
前記ブラシ付きモータを駆動することにより、前記ディスクの半径方向に関する前記光ピックアップの位置を制御する制御部と、
を備えるディスク装置において、
前記制御部は、
データの再生終了位置である第１の位置から、データの再生開始位置である第２の位置を目標位置として、サーチ動作を行う間に、
所定レベル以上の電圧を印加して、前記ブラシ付きモータを、データの再生時の回転方向と同一の方向に回転させる回転動作を行う、
ことを特徴とするディスク装置。
【請求項２】
前記制御部は、
前記第１の位置に位置する前記光ピックアップを、前記第２の位置を超えて、第３の位置まで移動させた後、反転移動させる、
ことを特徴とする請求項１に記載のディスク装置。
【請求項３】
前記第３の位置は、前記伝達機構による前記光ピックアップの移動端である、
ことを特徴とする請求項２に記載のディスク装置。
【請求項４】
前記制御部は、
前記光ピックアップを、
前記第１の位置から前記第３の位置まで移動させた後、
前記第１の位置と前記第２の位置との間の位置まで反転移動させる、
ことを特徴とする請求項２又は３に記載のディスク装置。
【請求項５】
前記制御部は、
前記第１の位置に位置する前記光ピックアップを、前記第２の位置の近傍の位置まで移動させた後、
前記第１の位置の近傍の位置まで、反転移動させる、
ことを特徴とする請求項１に記載のディスク装置。
【請求項６】
前記制御部は、
所定距離又は所定時間だけ、前記回転動作を行う、
ことを特徴とする請求項１乃至５のいずれか一項に記載のディスク装置。
【請求項７】
前記制御部は、
前記回転動作を行う時間を、前記ディスクに記録されたデータの容量に応じて調整する、
ことを特徴とする請求項１乃至６のいずれか一項に記載のディスク装置。
【請求項８】
ブラシ付きモータと、
ディスクに記録されたデータを読み取る光ピックアップと、
前記ブラシ付きモータの駆動力を、前記光ピックアップに伝達することにより、前記光ピックアップを、前記ディスクの半径方向に移動させる伝達機構と、
を備えるディスク装置のクリーニング方法において、
データの再生終了位置である第１の位置から、データの再生開始位置である第２の位置を目標位置として、サーチ動作を行う間に、
所定レベル以上の電圧を印加することにより、前記ブラシ付きモータを、データの再生時の回転方向と同一の方向に回転させる工程を含む、
ことを特徴とするクリーニング方法。
【請求項９】
ブラシ付きモータと、
ディスクに記録されたデータを読み取る光ピックアップと、
前記ブラシ付きモータの駆動力を、前記光ピックアップに伝達することにより、前記光ピックアップを、前記ディスクの半径方向に移動させる伝達機構と、
を備えるディスク装置を制御するコンピュータに実行させるプログラムであって、
データの再生終了位置である第１の位置から、データの再生開始位置である第２の位置を目標位置として、サーチ動作を行う間に、
所定レベル以上の電圧を印加することにより、前記ブラシ付きモータを、データの再生時の回転方向と同一の方向に回転させる手順をコンピュータに実行させる、
ことを特徴とするプログラム。
【発明の詳細な説明】
【技術分野】
【０００１】
本発明は、ブラシ付きモータを駆動することにより、光ピックアップを光ディスクの半径方向に移動させるディスク装置、そのディスク装置のクリーニング方法及びディスク装置を制御するコンピュータに実行させるプログラムに関する。
【背景技術】
【０００２】
光ディスクに記録されたデータを再生するディスク装置の中には、サーチやプログラム再生等の曲順操作を行わずに、楽曲のリピート再生を可能とする、いわゆるディスクリピート機能を有するものがある（例えば、特許文献１参照）。
【０００３】
例えば、販売店の展示台や、車内では、ディスク装置のディスクリピート機能を用いて繰り返し再生が行われることが多い。この場合、ディスク装置には、光ディスクが入れっぱなしとなり、リピート再生が延々と繰り返されることもしばしばである。
【先行技術文献】
【特許文献】
【０００４】
【特許文献１】特開２００３−２３５０１４号公報
【発明の概要】
【発明が解決しようとする課題】
【０００５】
ディスク装置では、光ディスクの半径方向に光ピックアップを移動させるスレッドモータとして、ブラシ付きモータが用いられるのが一般的である。ブラシ付きモータを用いると、以下に示すような事象が発生する。
【０００６】
（１）スレッドモータ内部において、ブラシ等の削れカスがコミュテータ間に溜まると、コミュテータ間でショートを起こして回転軸が回転できなくなり、再生不能に陥る。ブラシ等の削れカスは、スレッドモータに高い電圧が印加され、ブラシやコミュテータの摩耗が進んだ時に多く発生する。スレッドモータに印加される電圧を低くすれば、ブラシ等の削れカスの発生を抑制することができる。
【０００７】
（２）スレッドモータ内部でブラシがコミュテータ間を移動する際に発生するスパークにより、大気中の有機ガスが化学変化を起こしてコミュテータの表面に絶縁膜ができる。この絶縁膜により、コミュテータとブラシとの間が導通不良となり、回転軸が回転できなくなり、再生不能に陥る。絶縁膜は、スレッドモータに低い電圧（定格下限近くの電圧）が印加され、微小スパークが発生したときに、生成される。スレッドモータに印加される電圧を高くすれば、スパークレベルが上がり、絶縁膜を焼き切ることができるので、絶縁膜の生成を抑制することができる。
【０００８】
このように、スレッドモータに印加する電圧を低くすれば、ブラシ等の削れカスの発生を抑制することができるが、絶縁膜が生成されてしまう。また、スレッドモータに印加する電圧を高くすれば、絶縁膜の生成を抑制することができるが、ブラシ等の削れカスの発生量が増大してしまう。
【０００９】
前述のリピート再生では、光ディスクの外周方向へのトラックサーチや、プレイリストによる読み取り領域の移動に伴う光ディスクの外周方向へのサーチ等の動作は行われない。スレッドモータは、光ピックアップを、光ディスクの内周から外周に向かって低速で、すなわち低電圧で送り、光ディスクの外周から内周に向かって、高速で、すなわち高電圧で送るのを繰り返す。
【００１０】
ギアの減速比や負荷などの移動機構の性質にもよるが、前述のように、スレッドモータを、低電圧で少しずつ同一方向に回転させると、そのコミュテータの表面に絶縁膜が出来やすくなる。しかしながら、リピート再生では、最外周のトラックに記録されたデータの再生を終え、光ディスクの冒頭部（最内周のトラック）に戻る内周へのサーチ動作を行う際に、スレッドモータが逆方向へ回転する。このときには、スレッドモータに印加される電圧は高くなる。この高電圧により、生成されつつある絶縁膜を、焼き切ることができるので、絶縁膜の生成をある程度抑制することができる。
【００１１】
ところで、スレッドモータからの力を光ピックアップに伝達する伝達機構の構造によっては、スレッドモータの回転軸がスラスト方向（軸方向）に、伝達機構からの反力を受けることがある。この反力により、ブラシとコミュテータとが接触する位置が、例えば、機械的なガタ分だけずれる可能性がある。ブラシとコミュテータとが接触する位置がずれると、除去されるべき絶縁膜が一部残留する。この絶縁膜により、ディスク装置が再生不能に陥り、装置の寿命が短くなるおそれがある。
【００１２】
モータの回転を平歯車やプーリで伝達する方式の伝達機構であれば、スラスト方向には反力が加わらないので、ブラシとコミュテータが接触する位置は、スレッドモータの回転方向に依存しなくなる。しかしながら、このような方式の伝達機構であれば、大きな径のギア又はプーリが必要になるので、機構全体が大型化してしまう。車内など限られた空間に設置されるディスク装置に用いられる伝達機構の構造としては、スレッドモータの回転軸が、スラスト方向への反力を受けるような構造とせざるをえないのが現状である。
【００１３】
本発明は、上記事情の下に鑑みてなされたものであり、装置を大型化させることなく、ディスクに記憶されたデータの長期間の繰り返し再生を可能とするディスク装置、クリーニング方法及びプログラムを提供することを目的とする。
【課題を解決するための手段】
【００１４】
上記目的を達成するために、本発明の第１の観点に係るディスク装置は、
ブラシ付きモータと、
ディスクに記録されたデータを読み取る光ピックアップと、
前記ブラシ付きモータの駆動力を、前記光ピックアップに伝達することにより、前記光ピックアップを、前記ディスクの半径方向に移動させる伝達機構と、
前記ブラシ付きモータを駆動することにより、前記ディスクの半径方向に関する前記光ピックアップの位置を制御する制御部と、
を備えるディスク装置において、
前記制御部は、
データの再生終了位置である第１の位置から、データの再生開始位置である第２の位置を目標位置として、サーチ動作を行う間に、
所定レベル以上の電圧を印加して、前記ブラシ付きモータを、データの再生時の回転方向と同一の方向に回転させる回転動作を行う、
ことを特徴とする。
【００１５】
この場合、前記制御部は、
前記第１の位置に位置する前記光ピックアップを、前記第２の位置を超えて、第３の位置まで移動させた後、反転移動させる、
こととしてもよい。
【００１６】
この場合、前記第３の位置は、前記伝達機構による前記光ピックアップの移動端である、
こととしてもよい。
【００１７】
また、前記制御部は、
前記光ピックアップを、
前記第１の位置から前記第３の位置まで移動させた後、
前記第１の位置と前記第２の位置との間の位置まで反転移動させる、
こととしてもよい。
【００１８】
また、前記制御部は、
前記第１の位置に位置する前記光ピックアップを、前記第２の位置の近傍の位置まで移動させた後、
前記第１の位置の近傍の位置まで、反転移動させる、
こととしてもよい。
【００１９】
また、前記制御部は、
所定距離又は所定時間だけ、前記回転動作を行う、
こととしてもよい。
【００２０】
前記制御部は、
前記回転動作を行う時間を、前記ディスクに記録されたデータの容量に応じて調整する、
こととしてもよい。
【００２１】
また、本発明の第２の観点に係るクリーニング方法は、
ブラシ付きモータと、
ディスクに記録されたデータを読み取る光ピックアップと、
前記ブラシ付きモータの駆動力を、前記光ピックアップに伝達することにより、前記光ピックアップを、前記ディスクの半径方向に移動させる伝達機構と、
を備えるディスク装置のクリーニング方法において、
データの再生終了位置である第１の位置から、データの再生開始位置である第２の位置を目標位置として、サーチ動作を行う間に、
所定レベル以上の電圧を印加することにより、前記ブラシ付きモータを、データの再生時の回転方向と同一の方向に回転させる工程を含む、
ことを特徴とする。
【００２２】
また、本発明の第３の観点に係るプログラムは、
ブラシ付きモータと、
ディスクに記録されたデータを読み取る光ピックアップと、
前記ブラシ付きモータの駆動力を、前記光ピックアップに伝達することにより、前記光ピックアップを、前記ディスクの半径方向に移動させる伝達機構と、
を備えるディスク装置を制御するコンピュータに実行させるプログラムであって、
データの再生終了位置である第１の位置から、データの再生開始位置である第２の位置を目標位置として、サーチ動作を行う間に、
所定レベル以上の電圧を印加することにより、前記ブラシ付きモータを、データの再生時の回転方向と同一の方向に回転させる手順をコンピュータに実行させる、
ことを特徴とする。
【発明の効果】
【００２３】
本発明によれば、データの再生終了後又は再生開始前に、所定レベル以上の電圧を印加することにより、ブラシ付きモータを、データの再生時の回転方向と同一の方向に回転させる。このようにすれば、コミュテータとブラシとが接触する位置を、データの再生時と同じにした状態で、ブラシ付きモータのコミュテータ等に生成されつつある絶縁膜を、高い電圧で、もれなく除去することができる。これにより、絶縁膜による再生不能を防止して、モータの寿命を延ばすことができるようになり、引いては、ディスク装置の寿命を延ばすことができる。
【図面の簡単な説明】
【００２４】
【図１】本発明の一実施形態に係るディスク再生装置の主要な構成を示す上面図である。
【図２】図１のディスク再生装置の制御系の構成を示すブロック図である。
【図３】再生対象の光ディスクのデータ構造を示す図である。
【図４】図４（Ａ）は、光ピックアップを、光ディスクの外周方向に送る場合に発生する力について説明するための模式図であり、図４（Ｂ）は、光ピックアップを、光ディスクの内周方向に送る場合に発生する力について説明するための模式図である。
【図５】図１のディスク再生装置のリピート再生時の動作のフローチャートである。
【図６】リピート再生を行う際の光ピックアップの移動例（その１）を説明するための図である。
【図７】リピート再生を行う際の光ピックアップの移動例（その２）を説明するための図である。
【図８】リピート再生を行う際の光ピックアップの移動例（その３）を説明するための図である。
【図９】リピート再生を行う際の光ピックアップの移動例（その４）を説明するための図である。
【図１０】リピート再生を行う際の光ピックアップの移動例（その５）を説明するための図である。
【発明を実施するための形態】
【００２５】
以下、本発明の実施形態について図面を参照して、詳細に説明する。
【００２６】
本実施形態に係るディスク再生装置１は、図１に示すように、光ディスク２に記録されているデータを再生する。光ディスク２は、例えばＣＤ（Compact Disc）である。再生される光ディスク２は、ディスク再生装置１のシャーシ３上に設置された主軸としてのスピンドル４にチャックされる。光ディスク２は、スピンドル４の回転により、回転可能である。
【００２７】
ディスク再生装置１は、スレッドモータ５を備える。スレッドモータ５は、ブラシ付き直流モータである。スレッドモータ５は、筐体６と、ステータ７と、ロータ８と、コミュテータ９と、ブラシ１０と、を備える。図１では、筐体６は、その一部だけが示されている。実際には、ステータ７、ロータ８、コミュテータ９、ブラシ１０は、筐体６内に収納されている。
【００２８】
筐体６は、シャーシ３上に設置されている。ステータ７は、筐体６に固定された固定子である。ロータ８は、Ｘ軸方向に延び、Ｘ軸回りに回転可能となっている。コミュテータ９は、ロータ８の＋Ｘ側の端部に取り付けられている。ブラシ１０は、コミュテータ９に接触するように、筐体６に固定されている。このブラシ１０を介して、コミュテータ９に直流電圧が印加され、ロータ８がＸ軸回りに回転する。
【００２９】
コミュテータ９に印加される直流電圧が大きくなれば、スレッドモータ５の回転速度が上がり、小さくなれば、回転速度は下がる。印加される直流電圧の極性を変えると、ロータ８の回転方向が変わる。
【００３０】
ロータ８の−Ｘ側の端部には、ウォームギア１１が取り付けられている。ウォームギア１１に、Ｚ軸回りに回転するギア１２のはすばギアがかみ合っている。さらに、ギア１２の平歯ギア（一点鎖線で示される）が、Ｚ軸回りに回転するピニオンギア１３とかみ合っている。ピニオンギア１３は、ラックギア１４とかみ合っている。スレッドモータ５の回転力が、ウォームギア１１、ギア１２、ピニオンギア１３を介して、ラックギア１４に伝達され、ラックギア１４は、Ｘ軸方向の力を受ける。
【００３１】
このラックギア１４は、光ピックアップ１５に取り付けられている。光ピックアップ１５は、２本のガイド１６により、Ｘ軸方向に摺動可能である。スレッドモータ５のロータ８の回転により、ラックギア１４にＸ軸方向の力が伝達され、光ピックアップ１５が、Ｘ軸方向に移動する。これにより、光ピックアップ１５は、光ディスク２の半径方向に移動可能となっている。
【００３２】
光ピックアップ１５には、対物レンズ１７が設けられている。光ピックアップ１５は、対物レンズ１７を介して、光ディスク２の記録面に、レーザ光を照射し、対物レンズ１７を介して、光ディスク２の記録面からの反射光を受光する。この反射光には、光ディスク２に記録された情報が含まれている。光ピックアップ１５は、この反射光を、その情報に対応する電気信号に変換して、出力する。
【００３３】
図２に示すように、光ピックアップ１５から出力された電気信号は、ＲＦ(Radio Frequency)回路２０に入力される。ＲＦ回路２０は、光ピックアップ１５から出力された電気信号に基づいて、ＦＥ（Focus Error）信号、ＴＥ（Tracking Error）信号及びＲＦ信号等を生成する。ＦＥ信号、ＴＥ信号については後述する。ＲＦ信号は、最終的に再生データに変換される信号である。ＲＦ信号は、再生部２１と制御部３０に入力される。また、ＦＥ信号及びＴＥ信号は、制御部３０に入力される。再生部２１は、ＲＦ信号に基づいて、データを再生する。
【００３４】
制御部３０は、例えば、ＲＦ信号等に基づいて、ディスク再生装置１の各構成要素を統括制御する。制御部３０は、不図示のＣＰＵ（Central Processing Unit）やＲＯＭ（Read Only Memory）やＲＡＭ（Random Access Memory）やタイマ等を備える。制御部３０は、例えばＲＯＭに格納された制御プログラムを、ＣＰＵが実行することにより、ディスク再生装置１全体を統括制御する。
【００３５】
例えば、制御部３０は、光ディスク２の半径方向に関する光ピックアップ１５の位置を制御する。図２では、スレッドモータ５、ウォームギア１１、ギア１２、ピニオンギア１３、ラックギア１４（図１参照）が、伝達機構３１としてまとめられている。制御部３０は、スレッドモータドライバ３２を介して、スレッドモータ５を駆動して、光ピックアップ１５を、データの読み取り位置付近に移動させる。このように、スレッドモータ５を駆動して、光ピックアップ１５を移動させる動作を、スレッドジャンプという。
【００３６】
さらに、制御部３０は、光ディスク２の回転位置を制御する。この制御のため、ディスク再生装置１は、スピンドルモータ３３と、スピンドルモータドライバ３４と、をさらに備える。スピンドルモータ３３は、光ディスク２がクランプされたスピンドル４（図１参照）を回転させる。制御部３０は、スピンドルモータドライバ３４を介して、スピンドルモータ３３を回転させる。
【００３７】
さらに、制御部３０は、トラッキング及びフォーカス制御を行う。この制御のため、ディスク再生装置１は、アクチュエータドライバ３５を、さらに備える。光ピックアップ１５の対物レンズ１７（図１参照）は、光ピックアップ１５内のアクチュエータ（不図示）により、フォーカス方向とトラック方向とに微動可能となっている。
【００３８】
ＦＥ信号は、光ディスク２の記録面におけるビームスポットのフォーカスずれを示す信号であり、ＴＥ信号は、光ディスク２のトラックからのビームスポットのトラッキングずれを示す信号である。
【００３９】
制御部３０は、ＲＦ回路２０から出力されたＦＥ信号及びＴＥ信号に基づいて、アクチュエータドライバ３５を介してアクチュエータを駆動する。この駆動により、対物レンズ１７が駆動され、レーザ光のビームスポットが光ディスク２の記録面上で維持され、そのビームスポットが光ディスク２のトラックに追従する。
【００４０】
続いて、ディスク再生装置１の動作について説明する。
【００４１】
図３には、光ディスク２のデータ構造の一例が示されている。図３に示すように、光ディスク２の記録面には、データが既に記録されたデータ領域５０と、データがまだ記録されていないミラー領域５１とが形成されている。ミラー領域５１は、データ領域５０の内周側と外周側とにそれぞれ形成されている。
【００４２】
以下では、データ領域５０の最外周位置をｒ１とし、最内周位置をｒ２とする。データ領域の最内周位置ｒ２は、光ピックアップ１５の移動端ｅ１よりも外周側となっている。移動端ｅ１は、光ピックアップ１５がこれ以上、光ディスク２の内周には進むことができない位置である。また、外周側のミラー領域５１の最外周位置をｍ１とし、内周側のミラー領域５１の最内周位置を、ｍ２とする。
【００４３】
データ領域５０の最内周、すなわちディスク冒頭部には、トラック番号Ｎｏ．１（Ｔｒ１）の音楽データが記録されている。トラック番号Ｎｏ．１の音楽データを再生する場合には、スレッドモータ５を駆動して、光ピックアップ１５を、その音楽データの時刻００分００秒の再生データのデータ位置に移動させる。本実施形態では、このデータ位置を、最内周位置ｒ２としている。
【００４４】
トラック番号Ｎｏ．１の音楽データから、光ディスク２の最外周のトラックに記憶された音楽データ（すなわち最外周位置ｒ１に記録された最外周データ）まで、すべての音楽データを、再生する場合、光ピックアップ１５は、線速度一定で、光ディスク２のデータ領域５０のトラックに記録された音楽データを、連続して読み取っていく必要がある。この読み取り中、制御部３０は、スピンドル４の回転速度と、スレッドモータ５による光ピックアップ１５の移動速度とを制御しつつ、光ピックアップ１５を、データ領域５０の最内周位置ｒ２から、データ領域５０の最外周位置ｒ１まで送る。
【００４５】
さらに、トラック番号Ｎｏ．１の音楽データから、光ディスク２に記録されたすべての音楽データをリピート再生する場合、制御部３０は、スレッドモータ５を駆動して、光ピックアップ１５を、最外周位置ｒ１から最内周位置ｒ２まで戻すサーチ動作を行う。このサーチ動作後、制御部３０は、再び上述のような制御を行って、最内周位置ｒ２から最外周位置ｒ１まで、光ピックアップ１５を移動させつつ、音楽データを再生する。
【００４６】
すなわち、光ディスク２に記憶されたすべての音楽データをリピート再生する場合には、制御部３０は、スレッドモータ５を駆動して、光ピックアップ１５を光ディスク２の半径方向に往復移動させるようになる。
【００４７】
ところで、光ピックアップ１５を、光ディスク２の外周方向に送る場合、図４（Ａ）に示すように、制御部３０は、スレッドモータ５を、−Ｘ方向から見て、時計回りに回転させる。すると、ギア１２は、＋Ｚ方向から見て、反時計回りに回転し、ピニオンギア１３は、時計回りに回転する。これにより、ラックギア１４が、＋Ｘ方向に移動する。この結果、光ピックアップ１５が、外周方向に送られる。リピート再生における再生中は、伝達機構３１（すなわちウォームギア１１、ギア１２、ピニオンギア１３、ラックギア１４）は、図４（Ａ）に示すように動作する。
【００４８】
この場合、ウォームギア１１は、ギア１２から反作用の力を受け、スレッドモータ５のロータ８が、＋Ｘ方向に押され、ステータ７に対して、機械的なガタ分だけ＋Ｘ方向にずれる。
【００４９】
また、光ピックアップ１５を、光ディスク２の内周方向に送る場合、図４（Ｂ）に示すように、制御部３０は、スレッドモータ５を、−Ｘ方向から見て、反時計回りに回転させる。すると、ギア１２は、＋Ｚ方向から見て、時計回りに回転し、ピニオンギア１３は、反時計回りに回転する。これにより、ラックギア１４が、−Ｘ方向に移動する。この結果、光ピックアップ１５が、内周方向に送られる。リピート再生間のサーチ動作中、伝達機構３１（すなわちウォームギア１１、ギア１２、ピニオンギア１３、ラックギア１４）は、図４（Ｂ）に示すように動作する。
【００５０】
この場合、ウォームギア１１は、ギア１２から反作用の力を受け、スレッドモータ５のロータ８が、−Ｘ方向に押され、ステータ７に対して、機械的なガタ分だけ−Ｘ方向にずれる。
【００５１】
音楽データの再生中、光ピックアップ１５を、低速で光ディスク２の外周方向に送る必要があるため、スレッドモータ５には、定格電圧下限値近傍の低い電圧が印加される。これにより、コミュテータ９の表面に、絶縁膜が形成される。しかしながら、リピート再生では、サーチ動作により、光ピックアップ１５を、最外周位置ｒ１から、最内周位置ｒ２へ、高速で戻す。この間、スレッドモータ５には、比較的高い電圧が印加される。高電圧の印加により、コミュテータ９に生成された絶縁膜を、除去することができる。
【００５２】
しかしながら、前述のような、ロータ８の位置ずれにより、コミュテータ９とブラシ１０との接触位置が、再生中とサーチ動作中とでずれ、生成された絶縁膜が、一部残留してしまう。
【００５３】
このため、本実施形態に係るディスク再生装置１は、サーチ動作中に、所定レベル以上の電圧を印加して、スレッドモータ５を、データの再生時の回転方向と同一の方向に回転させる回転動作を行う。すなわち、ディスク再生装置１は、サーチ動作中、データ領域５０の最外周位置ｒ１（第１の位置）からデータ領域５０の最内周位置ｒ２（第２の位置）へ、光ピックアップ１５を移動させる間に、光ピックアップ１５を、最内周位置ｒ２からの最外周位置ｒ１に向かう方向に、反転移動させる。この反転移動において、スレッドモータ５に印加される電圧は、最外周位置ｒ１からデータ領域５０の最内周位置ｒ２へのサーチ動作の際に、スレッドモータ５に印加される電圧と同じレベルの電圧であるものとする。
【００５４】
図５には、リピート再生におけるサーチ動作中の制御部３０の処理動作が示されている。図５に示すように、まず、制御部３０は、光ピックアップ１５を、最外周位置ｒ１から位置ｒ３までスレッドジャンプさせる（ステップＳ１）。この位置ｒ３は、後述するように、例えば、移動端ｅ１又は最内周位置ｒ２の近傍位置である。
【００５５】
光ピックアップ１５が、位置ｒ３に到着すると、制御部３０は、位置ｒ３に位置する光ピックアップ１５を、最内周位置ｒ２から最外周位置ｒ１に向かう方向に、位置ｒ４まで反転移動させる（ステップＳ２）。この反転移動を、反転スレッドジャンプという。この反転スレッドジャンプにより、コミュテータ９の表面に生成されつつある絶縁膜が除去され、コミュテータ９がクリーニングされる。
【００５６】
光ピックアップ１５が、位置ｒ４に到着し、反転スレッドジャンプが終了すると、制御部３０は、さらにスレッドジャンプを行うか否か判定する（ステップＳ３）。この判定は、後述する図６乃至図１０に示す光ピックアップ１５の移動経路のうち、どの移動経路が選択されているかによって、決められる。
【００５７】
スレッドジャンプをさらに行う場合（ステップＳ３；Ｙｅｓ）、制御部３０は、さらに、スレッドジャンプを行う（ステップＳ４）。ここで、行われるスレッドジャンプは、場合によっては反転スレッドジャンプとなる。ステップＳ４終了後は、制御部３０は、ステップＳ３に戻る。
【００５８】
スレッドジャンプを行わない場合（ステップＳ３；Ｎｏ）、制御部３０は、光ピックアップ１５のアクチュエータを駆動して、トラックジャンプを行い（ステップＳ５）、光ピックアップ１５を、最内周位置ｒ２に位置決めする。これにより、サーチ動作が終了する。
【００５９】
位置ｒ３、ｒ４としては、様々な位置を設定することができる。例えば、図６に示すように、位置ｒ３を移動端ｅ１とし、反転スレッドジャンプ後、スレッドジャンプを行わずに、トラックジャンプを行うようにすることができる。
【００６０】
この場合、制御部３０は、光ピックアップ１５を、最外周位置ｒ１から、移動端ｅ１までスレッドジャンプさせる（（１））。続いて、制御部３０は、光ピックアップ１５を、最内周位置ｒ２付近の位置ｒ４まで、反転スレッドジャンプさせる（（２））。その後、制御部３０は、光ピックアップ１５を、最内周位置ｒ２までトラックジャンプさせる（（３））。このような一連の動作により、光ディスク２の最外周位置ｒ１から冒頭部（最内周位置）ｒ２への内周サーチが行われ、光ピックアップ１５が、トラック番号Ｎｏ．１のタイムコード００分００秒に位置するようになる。
【００６１】
（２）の反転スレッドジャンプ中、スレッドモータ５には、高い電圧が印加される。これにより、残存する絶縁膜を除去し、コミュテータ９をクリーニングすることができる。この方法では、光ピックアップ１５を、メカニズムが可能な限り内周側に送り、反転スレッドジャンプの開始位置をできるだけ光ディスク２の内周側とすることで、反転スレッドジャンプの距離を長くしている。
【００６２】
さらに、図７の具体例では、（２）の反転スレッドジャンプの距離を、図６の具体例よりも長くしている。ここでは、位置ｒ３を移動端ｅ１とし、反転スレッドジャンプの目標位置を、最外周位置ｒ１と最内周位置ｒ２との間の位置ｒ４としている。
【００６３】
まず、制御部３０は、光ピックアップ１５を、最外周位置ｒ１から、移動端ｅ１（位置ｒ３）までスレッドジャンプさせる（（１））。続いて、制御部３０は、光ピックアップ１５を、最内周位置ｒ２を超えて、位置ｒ４まで、反転スレッドジャンプさせる（（２））。その後、制御部３０は、光ピックアップ１５を、位置ｒ４から最内周位置ｒ２までトラックジャンプさせる（（３））。
【００６４】
このように、反転動作のスレッドジャンプを行う距離を長くすれば、残存する絶縁膜をより確実に除去することができる。図６の経路で、絶縁膜を十分に除去できる場合には、サーチ時間を短くするという観点からすれば、図７に示す経路を採用する必要はない。どちらの方法を採用するかについては、主として、光ディスク２に記録されたデータ量などに応じて決めるとよい。
【００６５】
図８の具体例では、図６、図７の具体例とは異なり、位置ｒ３を、最内周位置ｒ２の近傍の位置とし、位置ｒ４を、最外周位置ｒ１の近傍位置とする。また、反転スレッドジャンプ後、スレッドジャンプを再度行う。
【００６６】
まず、制御部３０は、光ピックアップ１５を、最外周位置ｒ１から、最内周位置ｒ２の近傍の位置ｒ３までスレッドジャンプさせる（（１））。続いて、制御部３０は、光ピックアップ１５を、位置ｒ３から、最外周位置ｒ１の近傍の位置ｒ４まで反転スレッドジャンプさせる（（２））。さらに、制御部３０は、光ピックアップ１５を、位置ｒ４から、最内周位置ｒ２の近傍の位置ｒ５までスレッドジャンプさせる（（３））。その後、制御部３０は、光ピックアップ１５を、位置ｒ５から最内周位置ｒ２までトラックジャンプさせる（（４））。
【００６７】
ここで、最終トラックのプログラムタイムが長く、最終トラックのタイムレコード００分００秒が内周側に位置する場合もあり得ることから、クリーニング目的の反転スレッドジャンプの目標位置である位置ｒ４としては、最終トラックのプログラムタイムの最終時間近辺の位置とするのが望ましい。このようにすれば、反転スレッドジャンプの距離を、一定距離以上に確保することができる。
【００６８】
サーチ距離を長くしようとすると、目標位置（すなわち最外周位置ｒ１、最内周位置ｒ２）近辺（前後を問わない）までスレッドジャンプし、最終的には、トラックジャンプで、光ピックアップ１５を目標位置に到達させるようにするのが望ましいが、この方法では、ミラー領域５１への進入を防ぐために、スレッドジャンプでは、目的位置の手前の位置（すなわち位置ｒ３、ｒ４）までとしている。
【００６９】
図８に示すように、最外周位置ｒ１から内周方向にサーチする場合にはトラック番号Ｎｏ．１のタイムコード００分００秒の最内周位置ｒ２まで戻す必要はない。位置ｒ３は、最内周位置ｒ２をサーチする際に、スレッドジャンプからトラックジャンプへ移行する時の通常の位置であればよい。また、外周方向へのサーチに関しても同様に、最終トラックのプログラムタイムの最終時間に対応する最外周位置ｒ１まで正確にサーチする必要はない。位置ｒ４は、最外周位置ｒ１をサーチする際に、スレッドジャンプからトラックジャンプへ移行する時の通常の位置であればよい。
【００７０】
ところで、ディスク再生装置１の中には、ＥＳＰ（Electrical Shock Proof）機能を有するものがある。ＥＳＰ機能は、いわゆる音飛びを防止する機能である。ＥＳＰ機能では、再生するデータは、一旦バッファに保持される。バッファに保持されたデータは、誤りが含まれているか否かが検査される。誤りが検出されると、バッファへの再生データの書き込みは停止される。光ピックアップ１５の光ディスク２に対するデータの読み取り位置は、誤りが発生した再生データが記録された位置の手前に戻される。光ピックアップ１５は、その位置からのデータの読みとりを再開する。以上の動作により、音飛びが防止される。
【００７１】
図８に示す方法は、反転スレッドジャンプの距離が、図６、図７の方法に比べて長い。このため、ディスク再生装置１が、ＥＳＰ機能を有しない場合には、再生音が途切れる時間が長くなってしまうので、図８に示す方法を採用できない可能性もある。しかしながら、ＥＳＰ機能を有するディスク再生装置１には、非常に有効である。
【００７２】
なお、光ディスク２に記録されたデータの容量が非常に少なく、最外周位置ｒ１から最内周位置ｒ２との距離が短すぎて、スレッドジャンプを行うことができない場合には、この方法ではなく、図６に示す方法を用いるなど、ディスクの記憶容量に応じて、経路を変更するのが望ましい。
【００７３】
図９、図１０の具体例では、位置ｒ３を移動端ｅ１とし、（２）の反転スレッドジャンプの距離を、一定としている。このようにすれば、データ容量に係らず、コミュテータ９に付着した絶縁膜を確実に除去することができる。
【００７４】
制御部３０は、光ピックアップ１５を、最外周位置ｒ１から、移動端ｅ１までスレッドジャンプさせる（（１））。続いて、制御部３０は、光ピックアップ１５を、所定の距離だけ、反転スレッドジャンプさせる（（２））。これにより、光ピックアップ１５は、位置ｒ４に到達する。さらに、制御部３０は、光ピックアップ１５を、移動端ｅ１までスレッドジャンプさせる（（３））。この位置をｒ５とする。そして、制御部３０は、位置ｒ５から、最内周位置ｒ２の近傍の位置ｒ６に、光ピックアップ１５をスレッドジャンプさせ、その後最内周位置ｒ２までトラックジャンプさせる。このような一連の動作により、光ディスク２の最外周位置ｒ１から冒頭部（最内周位置）ｒ２への内周サーチが行われ、光ピックアップ１５が、トラック番号Ｎｏ．１のタイムコード００分００秒に位置するようになる。
【００７５】
図９は、（２）のスレッドジャンプの移動先が、データ領域５０内であった場合である。また、図１０は、（２）のスレッドジャンプの移動先が、ミラー領域５１であった場合である。
【００７６】
データ量が少ない場合には、外周側のミラー領域５１に光ピックアップ１５が進入する可能性がある。しかしながら、光ディスク２の外周方向に光ピックアップ１５を移動させた後は、光ピックアップ１５が、データ領域５０に位置していようが、ミラー領域５１に位置していようが、内周を検出するまで、光ピックアップ１５を内周方向に移動させるようにすればよいので、特に問題はない。したがって、反転スレッドジャンプの距離を一定とすることができる。
【００７７】
ディスク再生装置１では、図６乃至図１０に示すように、様々な経路でのスレッドジャンプを選択することができる。光ピックアップ１５を反転移動させれば、スレッドジャンプに要する時間が長くなるため、絶縁膜の除去状態と、スレッドジャンプに要する時間との兼ね合いで、いずれかの経路を選択するのが望ましい。
【００７８】
また、例えば、ディスクに記録されたデータの容量や、ディスクの種類に応じて、図６乃至図１０の方法を切り替えるようにしてもよい。
【００７９】
また、ＥＳＰ機能を有するディスク再生装置１では、スレッドジャンプに要する時間が多少長くなっても、再生される音楽が途切れないようにしたり、途切れたとしても、その途切れる時間間隔を短くしたりすることができるので、絶縁膜の除去を優先して、反転移動の距離を長くすることができる。
【００８０】
以上詳細に説明したように、本実施形態によれば、リピート再生において、データ領域５０の最外周位置ｒ１から、データ領域５０の最内周位置ｒ２まで、光ピックアップ１５をサーチ動作させる間に、所定レベル以上の電圧を印加することにより、スレッドモータ５を、データの再生時の回転方向と同一の方向に回転させる。このようにすれば、コミュテータ９とブラシ１０とが接触する位置を、データの再生時と同じにした状態で、スレッドモータ５のコミュテータ９等に生成されつつある絶縁膜を、除去することができる。これにより、絶縁膜による再生不能を防止して、モータの寿命を延ばすことができるようになり、引いては、ディスク再生装置１の寿命を延ばすことができる。
【００８１】
この場合、最内周位置ｒ２を超えた位置まで光ピックアップ１５を移動させ、それから反転スレッドジャンプを行うようにすれば、反転スレッドジャンプの距離を長くして、絶縁膜をより確実に除去することができる。移動端ｅ１まで光ピックアップ１５を移動させれば、反転スレッドジャンプの距離は、より長くなり、反転スレッドジャンプの目標位置を、最外周位置ｒ１と最内周位置ｒ２の間の位置ｒ３とすれば、反転スレッドジャンプの距離をより長くすることができる。
【００８２】
また、ディスク再生装置１では、最外周位置ｒ１から、最内周位置ｒ２の近傍の位置ｒ３まで、光ピックアップ１５を、スレッドジャンプさせ、最外周位置ｒ１の近傍の位置ｒ４まで反転スレッドジャンプさせる。すなわち、最内周位置ｒ２の近傍の位置ｒ３から最外周位置ｒ１の近傍の位置ｒ４まで、光ピックアップ１５を反転移動させるので、絶縁膜を確実に除去するだけの反転スレッドジャンプの充分な距離が、確保される。
【００８３】
また、ディスク再生装置１では、反転スレッドジャンプの距離を、一定とすることができる。これにより、コミュテータ９の表面上の絶縁膜の除去能力を一定に保つことができる。なお、反転スレッドジャンプを行う時間を、一定とするようにしてもよい。
【００８４】
なお、サーチ動作中、常に光ピックアップ１５を反転動作させる必要はない。数回に１回、または所定期間が経過する度に１回行うようにしてもよい。特に、ディスク再生装置１が、上述のようなＥＳＰ機能を有しない場合には、光ピックアップ１５を反転動作させるために、音楽が途切れる時間が長くなってしまうため、反転動作を時々行うようにするのが望ましい。
【００８５】
この場合、制御部３０は、サーチ回数を保持するカウンタや、時間を計測するタイマなどを有するようにし、記憶手段を備え、その記憶手段に、クリーニング処理を行うサーチ回数や時間を格納しておく。そして、制御部３０は、カウンタ値が、記憶手段に保持されたサーチ回数に一致するか、タイマによって計測された時間が、記憶手段に保持された時間を経過すれば、サーチ動作中に、光ピックアップ１５を反転動作させればよい。このような記憶手段を有しない場合、ディスク再生装置１は、サーチ動作を行う度に、光ピックアップ１５を反転動作させるようになる。
【００８６】
なお、上記実施形態では、光ディスク２のデータ領域５０の最外周位置ｒ１まで再生を終了し、光ディスク２の冒頭部、すなわちデータ領域５０の最内周位置ｒ２にサーチするタイミングを利用して、スレッドモータ５内部のクリーニングを行った。ＥＳＰ機能を有しないディスク再生装置では、このタイミングで、必ず再生音が途切れるためである。
【００８７】
しかしながら、本発明はこれには限られない。再生音の途切れ時間を無視すれば、どのタイミングで反転スレッドジャンプを行ってもよいが、ユーザが気づきにくいタイミングで行われるのが望ましい。その点、上記実施形態に係るタイミング（すなわち、リピート再生のサーチ動作中）は、再生音が途切れる時間が若干長くなってしまうものの、ユーザの不利益が極力少なくなるようなタイミングであり、コミュテータ９のクリーニングには、最適なタイミングであるといえる。
【００８８】
もっとも、ＥＳＰ機能を有するディスク再生装置でも、ＥＳＰ機能を有しないディスク再生装置でも、上記実施形態に係るタイミングで、クリーニング処理を実行すれば、両者の制御機能の設計を共通化することができるので、製造コストを抑えることができる。
【００８９】
リピート再生機能を用いず、最終トラック再生後に再生を停止する場合には、再生終了後又は再生開始前に、外周方向へのスレッドジャンプを行っておけばよい。この場合にも、外周方向へのスレッドジャンプの開始位置、終了位置は、ディスクの種類やディスクに記録されたデータ容量などを考慮して、適宜決定することができる。再生終了後に、外周方向へのスレッドジャンプを行っておけば、再生開始時の待ち時間が短くてすむが、音出しまで多少時間がかかっても問題がない場合には、次の再生開始前に反転スレッドジャンプを行ってもよい。このタイミングであれば、一旦再生が終了することから、再生音は必ず途切れるので、ユーザに与える影響は小さいと考えられる。
【００９０】
なお、上記実施形態では、光ディスク２をＣＤとしたが、ＣＤ−Ｒ（Compact Disc Recordable）であってもよいし、ＤＶＤ（Digital Versatile Disc）やＢＤ（Blu-ray Disc）であってもよい。すなわち、本発明は、光ディスク２の種類には、限定されない。
【００９１】
また、上記実施形態では、制御プログラムが、ＲＯＭに予め記憶されているものとして説明した。この制御プログラムは、フレキシブルディスク、ＣＤ−ＲＯＭ（Compact Disk Read-Only Memory）、ＤＶＤ、ＭＯ（Magneto Optical disc）などのコンピュータ読み取り可能な記録媒体に格納して配布され、ディスク再生装置１にインストールされるようになっていてもよい。
【００９２】
また、上記実施形態に係るディスク再生装置１は、再生専用の装置であったが、光ディスク２への記録を行う記録装置、再生／記録装置にも、本発明を適用することができるのは勿論である。
【符号の説明】
【００９３】
１  ディスク再生装置
２  光ディスク
３  シャーシ
４  スピンドル
５  スレッドモータ
６  筐体
７  ステータ
８  ロータ
９  コミュテータ
１０  ブラシ
１１  ウォームギア
１２  ギア
１３  ピニオンギア
１４  ラックギア
１５  光ピックアップ
１６  ガイド
１７  対物レンズ
２０  ＲＦ回路
２１  再生部
３０  制御部
３１  伝達機構
３２  スレッドモータドライバ
３３  スピンドルモータ
３４  スピンドルモータドライバ
３５  アクチュエータドライバ
５０  データ領域
５１  ミラー領域
【図１】
2011018392.tif 000003
【図２】
2011018392.tif 000004
【図３】
2011018392.tif 000005
【図４】
2011018392.tif 000006
【図５】
2011018392.tif 000007
【図６】
2011018392.tif 000008
【図７】
2011018392.tif 000009
【図８】
2011018392.tif 000010
【図９】
2011018392.tif 000011
【図１０】
2011018392.tif 000012